(57)【要約】【解決手段】ロータアセンブリは、回転軸を中心とする支持構造に対するロータアセンブリの回転のために、上記ロータアセンブリを上記支持構造に回転可能に取り付けるためのロータマストと、仮想平面内で長手方向に延びる２つのロータブレードを有するロータであって、上記２つのロータブレードが空気流によって駆動されるように配置されたロータと、旋回軸を規定する旋回装置であって、当該旋回装置によって、上記旋回軸を中心として上記ロータマストに対して上記２つのロータブレードを同時に旋回させるために上記ロータは上記ロータマストに旋回可能に接続される、旋回装置と、を備え、上記長手方向と上記仮想平面における上記旋回軸の投影は、上記仮想平面において一定の鋭角をなす。風車および風力発電所は、ロータアセンブリを備え、上記風力発電所の容量は５０ＭＷ／ｋｍ２の範囲にある。【選択図】図１２
2021528600.tif 000002
【特許請求の範囲】
【請求項１】
回転軸を中心とする支持構造に対するロータアセンブリの回転のために、前記ロータアセンブリを前記支持構造に回転可能に取り付けるためのロータマストと、
仮想平面内で長手方向に延びる２つのロータブレードを有するロータであって、前記２つのロータブレードが空気流によって駆動されるように配置されたロータと、
旋回軸を規定する旋回装置であって、当該旋回装置によって、前記旋回軸を中心として前記ロータマストに対して前記２つのロータブレードを同時に旋回させるために前記ロータは前記ロータマストに旋回可能に接続される、旋回装置と、
を備え、
前記長手方向と前記仮想平面における前記旋回軸の投影は、前記仮想平面において一定の鋭角をなすロータアセンブリ。
【請求項２】
前記旋回軸は前記回転軸に実質的に垂直である請求項１に記載のロータアセンブリ。
【請求項３】
前記鋭角は、１０°〜４５°の範囲である請求項１または２に記載のロータアセンブリ。
【請求項４】
前記２つのロータブレードが互いに剛結合された請求項２から３のいずれかに記載のロータアセンブリ。
【請求項５】
前記２つのロータブレードが、前記長手方向に、前記回転軸を含むさらなる仮想平面内に延びている請求項１から４のいずれかに記載のロータアセンブリ。
【請求項６】
前記ロータは、前記２つのロータブレードの間に中央ロータ部分を備え、前記ロータマストに隣接する前記仮想平面内における前記長手方向に垂直な半径方向における前記中央ロータ部分の寸法は、前記仮想平面において前記２つのロータブレードが占めるブレード領域を、前記長手方向における前記２つのロータブレードの長さで割った比の０．３〜２倍の範囲にある請求項１から５のいずれかに記載のロータアセンブリ。
【請求項７】
前記仮想平面における前記長手方向に垂直な前記２つのロータブレードのそれぞれの幅は、前記回転軸までの距離に依存して減少する請求項１から６のいずれかに記載のロータアセンブリ。
【請求項８】
前記長手方向に垂直な方向の前記仮想平面における前記２つのロータブレードのそれぞれの断面は、当該断面の第１の側は凹状のプロファイルを備え、当該断面の第２の側は、当該第１の側とは反対に、凸状のプロファイルを備える請求項１から７のいずれかに記載のロータアセンブリ。
【請求項９】
前記２つのロータブレードは一体構造として形成される請求項１から８のいずれかに記載のロータアセンブリ。
【請求項１０】
前記２つのロータブレードのそれぞれは、前記長手方向に３０メートル延びる請求項１から９のいずれかに記載のロータアセンブリ。
【請求項１１】
支持構造と、請求項１から１０のいずれかに記載のロータアセンブリと、を備え、前記ロータアセンブリは、前記支持構造に対して前記回転軸を中心として前記２つのロータブレードを回転させるために、前記ロータマストによって、前記支持構造に回転可能に取り付けられる風車。
【請求項１２】
本風車は、電気を生成するための発電機を備え、前記ロータアセンブリは、前記回転軸を中心とする前記ロータアセンブリの回転時に前記電気を生成するために前記発電機に結合される請求項１１に記載の風車。
【請求項１３】
前記ロータアセンブリは前記支持構造の第１位置で前記支持構造に回転可能に取り付けられ、前記風車は前記風車を水に浮かせるための浮体をさらに備え、前記浮体は前記ロータアセンブリから離れた位置で前記支持構造に取り付けられ、前記ロータアセンブリは、使用中の風速の増加が前記ロータアセンブリの前記回転軸を直立位置に向かって移動させるように前記支持構造に取り付けられる請求項１１または１２に記載の風車。
【請求項１４】
本風車は、前記支持構造の第２位置で前記支持構造に取り付けられる釣り合いおもりを備え、前記浮体は前記第１位置と前記第２位置との間で前記支持構造に取り付けられ、前記釣り合いおもりは前記ロータアセンブリが前記支持構造に対して前記回転軸を中心に回転していないとき、前記ロータアセンブリを前記水の水面のより上に持ち上げるように配置される請求項１３に記載の風車。
【請求項１５】
本風車は、前記支持構造の第３位置で前記支持構造に接続されるバランスブイを備え、当該第３位置は、前記浮体と前記ロータアセンブリとの間にあり、前記バランスブイは前記ロータアセンブリを前記水の前記水面に向かって引き寄せるように配置されている請求項１４に記載の風車。
【請求項１６】
前記バランスブイは、前記ロータアセンブリを前記水の前記水面よりも上の高さまで移動させるために前記バランスブイと前記支持構造との距離を変化させるための調整要素、好ましくはウインチを介して前記支持構造に接続される請求項１５に記載の風車。
【請求項１７】
請求項１１から１６のいずれかに記載の風車を複数備え、前記複数の風車のうちの隣接する風車間の公称相互距離は、前記ロータの直径の１〜６倍の範囲、好ましくは前記ロータの直径の４〜４．５倍の範囲にある風力発電所。
【請求項１８】
前記公称相互距離は、前記空気流の方向にある、請求項１７に記載の風力発電所。
【請求項１９】
請求項１１から１６のいずれかに記載の風車を複数備える風力発電所であって、本風力発電所の容量は１５〜５０ＭＷ／ｋｍ２の範囲にあり、好ましくは２５ＭＷ／ｋｍ２である風力発電所。
【発明の詳細な説明】
【発明の概要】
【０００１】
第１態様によれば、本開示は、
回転軸を中心とする支持構造体に対するロータアセンブリの回転のために、当該ロータアセンブリを当該支持構造に回転可能に取り付けるためのロータマストと、
仮想平面内で長手方向に延びる２つのロータブレードを有するロータであって、当該２つのロータブレードが空気流によって駆動されるよう配置されているロータと、
旋回軸を規定する旋回装置であって、当該旋回装置によって、旋回軸を中心として上記ロータマストに対して上記２つのロータブレードを同時に旋回させるために上記ロータは上記ロータマストに旋回可能に接続される、旋回装置と、
を備えるロータアセンブリに関する。
【０００２】
第２態様によれば、本開示は、支持構造および本開示の第１態様によるロータアセンブリを備える風車に関する。
【０００３】
第３態様によれば、本開示は、本開示の第２態様による風車を複数備える風力発電所に関する。
【０００４】
公知のロータアセンブリは、例えばジャイロコプターの一部として使用される。ジャイロコプターは、ジャイロプレーンまたはオートジャイロとしても知られ、動力のないロータを自由自動回転で使用して揚力を発生させる回転翼航空機の一種である。ジャイロコプターの自由回転ロータは、空気がロータを通過することにより回転する。これら公知のロータアセンブリの欠点は、ロータマストで比較的大きな振動が発生する可能性があることである。
【０００５】
本開示の目的は、公知のロータアセンブリのこの欠点を克服するロータアセンブリを提供することである。
【０００６】
この目的は、上記仮想平面における上記長手方向と上記旋回軸の投影とが、上記仮想平面において鋭角、好ましくは一定の鋭角をなす請求項１に記載のロータアセンブリによって達成される。請求項１による上記旋回軸を設けることにより、ロータの回転によって発生される揚力の方向は、比較的安定し、ロータマストおよび回転軸と高度に一致し、それにより、旋回軸を中心とするロータブレードの旋回による揚力の方向の変化に起因する振動が回避されるか、または少なくとも大幅に低減される。これにより、比較的信頼性の高い構造を維持しながら、ロータアセンブリに取り付けられる構造をより軽量化し、よりコスト効率の高いものとすることができる。
【０００７】
本開示は、公知のロータアセンブリのロータの回転中の揚力の方向が回転軸に対して変化し、それによってロータ軸に振動を誘発するという見識に少なくとも部分的に依存している。上記仮想平面における旋回軸の投影が鋭角、好ましくは一定の鋭角をなすように当該旋回軸が設けられることによって、当該仮想平面においてロータブレードと回転軸との間の角度が比較的に安定に維持されることに留意されたい。ここで、上記長手方向は、回転軸に垂直である。ロータブレードと回転軸の間の角度を比較的安定に保つことは、振動を低減するために有益である。
【０００８】
本開示はさらに、公知のロータアセンブリについて、ロータブレードの旋回軸を中心とする旋回速度が比較的小さく、それによってロータマストに整列していない揚力の方向がロータマストに整列した状態に比較的ゆっくりと変化するという見識に少なくとも部分的に依存している。請求項１による上記旋回軸を設けることにより、ロータマストと整列した揚力の方向の変化は比較的速く、それにより限られた変動のみ発生させる。
【０００９】
本開示の第１態様によるロータアセンブリのさらなる利点は、回転軸に実質的に垂直な方向に空気流がロータを通過することによりロータアセンブリが回転を開始または回転を維持しうることである。上記２つのロータブレードが上記旋回軸を中心として旋回すると、所与の空気流方向に対するブレード角度が変化する。言い換えると、ブレードは、２つのロータブレードの長手方向に延在する軸を中心に旋回する。これにより、旋回軸を中心としたロータの旋回角度が増加すると、空気流方向に垂直な２つのロータブレードの総表面積の投影が増加する。２つのロータブレードの総表面積の投影のこの増加のために、ロータは比較的低い空気速度にさらされたときに回転を開始または回転を維持しうる。
【００１０】
本開示の文脈内で、空気流によって駆動されるように配置されたロータブレードという表現は、エンジンなどの駆動装置を介してロータを回転させることによってヘリコプターの揚力を発生させるためのロータブレードとは対照的に、自由自動回転で揚力を発生させるための動力のないロータに使用されるように設計されたロータブレードとして理解されるべきである。
【００１１】
米国特許４４４９８８９Ａは、仮想平面における旋回軸の投影が、上記仮想平面において旋回軸に垂直であるロータアセンブリを開示する。
【００１２】
好ましくは、仮想平面は平坦な仮想平面である。
【００１３】
上記旋回軸が上記回転軸に実質的に垂直であると有益である。これは、ロータアセンブリの使用中に、ロータマストの回転軸を中心とする回転速度の変動を低減し、それによって振動を低減するために有益である。
【００１４】
好ましくは、上記鋭角は、１０°から４５°の範囲にある。これは、本開示の第１態様によるロータアセンブリの利点を比較的大分部実現するために有利である。
【００１５】
上記２つのロータブレードが互いに剛性的に接続されていると有利である。これは、ロータアセンブリの使用中に上記２つのロータブレードを仮想平面内に維持し、それによってロータアセンブリの振動を低減するのに有利である。さらに、剛性的な接続は、ロータアセンブリの製造中にコスト面で有利になりうる。さらに、剛結合は、上記長手方向に比較的長いロータブレードを可能にする。
【００１６】
第１態様によるロータアセンブリの実際的な実施の形態では、上記２つのロータブレードは、上記回転軸を含むさらなる仮想平面内を上記長手方向に延在する。好ましくは、上記さらなる仮想平面は、平坦な仮想平面である。
【００１７】
上記ロータが上記２つのロータブレードの間に中央ロータ部分を備え、上記ロータマストに隣接する上記仮想平面において上記長手方向に垂直な半径方向における上記中央ロータ部分の寸法が、上記仮想平面において上記２つのロータブレードが占めるブレード面積を、上記長手方向における上記２つのロータブレードの長さで割った比の０．３〜２倍の範囲内にある場合、有益である。そのような中央ロータ部分は、少なくとも一部、好ましくは完全に、上記２つのロータブレードの間の領域を空気力学的に閉鎖するのに有益である。
【００１８】
好ましくは、上記仮想平面において上記長手方向に垂直な上記２つのロータブレードのそれぞれの幅は、上記回転軸までの距離に依存して減少する。これは、空気流に対するロータブレードの比較的小さな抵抗を実現しながら、比較的大きな揚力を実現するのに有益である。
【００１９】
第１態様によるロータアセンブリの実際的な実施の形態では、上記長手方向に垂直な方向の上記仮想平面における上記２つのロータブレードのそれぞれの断面は、当該断面の第１の側は凹状のプロファイルを備え、当該断面の第２の側は、当該第１の側とは反対に、凸状のプロファイルを備える。凹状のプロファイルおよび凸状のプロファイルを有するロータブレードは、空気流にさらされたときに比較的大きな揚力を実現するのに有益である。
【００２０】
上記２つのロータブレードが一体構造として形成されていると有利である。これは、比較的低コストで比較的堅牢なロータアセンブリを実現するのに有利である。
【００２１】
好ましくは、上記２つのロータブレードのそれぞれは、上記長手方向に３０メートル延びる。これは、比較的大きな揚力を実現するのに有益である。
【００２２】
第２態様によれば、本開示は、支持構造および本開示の第１態様によるロータアセンブリを備える風車に関し、上記ロータアセンブリは、上記支持構造に対して上記回転軸を中心として上記２つのロータブレードを回転させるために、上記ロータマストによって、上記支持構造に回転可能に取り付けられている。風車の実施の形態は、本開示の第１態様によるロータアセンブリの実施の形態に対応する。風車の利点は、先に提示された本開示の第１態様によるロータアセンブリの利点に対応する。
【００２３】
好ましくは、上記風車は、電気を生成するための発電機を備え、上記ロータアセンブリは、上記回転軸を中心とする上記ロータアセンブリの回転時に上記電気を生成するために上記発電機に結合される。第２態様による風車を設けることは、比較的堅牢な風車を実現するのに有益である。
【００２４】
上記ロータアセンブリが上記支持構造の第１位置で上記支持構造に回転可能に取り付けられ、上記風車が上記風車を水に浮かせるための浮体をさらに備え、上記浮体が上記ロータアセンブリから離れた位置で上記支持構造に取り付けられ、上記ロータアセンブリが、使用中の風速の増加が上記ロータアセンブリの上記回転軸を直立位置に向かって移動させるように上記支持構造に取り付けられる場合に有益である。この実施形態は、第２態様による風車を海や湖のような開放水域に配置するのに有益である。開放水域に風車を配置することは、比較的大きな空気流が比較的頻繁に存在するため、魅力的である。使用中の風速の増加により上記ロータアセンブリが上記支持構造を直立位置に向かって移動させるように上記ロータアセンブリを取り付けることは、比較的大きな風速で上記風車の上記ロータアセンブリを回転状態に維持するのに有利である。支持構造を直立位置に向かって移動させることにより、ロータアセンブリの回転軸は、回転軸が垂直方向にますます延びる位置に向かって移動する。つまり、回転軸が直立位置に向かって移動する。結果として、比較的大きな風速によって誘発される力は、ロータアセンブリの損傷の危険性を回避または少なくとも大幅に低減しつつ、ロータアセンブリが回転軸を中心に回転し続けることができる範囲に維持されうる。
【００２５】
実質的に水平な位置に維持される回転軸を有する従来の風車は、ロータアセンブリの損傷の危険性を回避または少なくとも大幅に低減するために、比較的大きな風速で運転を停止する必要があることが知られている。比較的大きな風速では、タービンおよびロータアセンブリは、空気流がロータブレードに比較的低い力を誘発する位置にロータブレードを配置するように垂直軸を中心に旋回する。
【００２６】
これに関して、上記風車が上記支持構造の第２位置で上記支持構造に取り付けられる釣り合いおもりを備え、上記浮体が上記第１位置と上記第２位置との間で上記支持構造に取り付けられ、上記釣り合いおもりが、上記ロータアセンブリが上記支持構造に対して上記回転軸を中心に回転していないとき、上記ロータアセンブリを上記水の水面のより上に持ち上げるように配置されている場合、有利である。これは、上記ロータブレードが開放水域に接触することを回避することにより、風車の比較的長い稼働時間と寿命を実現するのに有利である。
【００２７】
上記風車が上記支持構造の第３位置で上記支持構造に接続されるバランスブイを備え、当該第３位置が上記浮体と上記ロータアセンブリとの間にあり、当該バランスイブが上記ロータアセンブリを上記水の上記水面に向かって引き寄せるように配置される場合、有利である。これは、ロータアセンブリを水の水面の上に比較的正確に位置決めするのに有益である。これは、風車の比較的長い稼働時間と効率を実現するのに有利である。
【００２８】
一実施形態では、上記バランスブイは、上記ロータアセンブリを上記水の上記水面より上の高さまで移動させるために上記バランスブイと上記支持構造との間の距離を変化させるための調整要素、好ましくはウインチを介して上記支持構造に接続される。これは、例えばロータアセンブリのメンテナンス中にロータアセンブリを水面に向かって下げるのに有利である。さらにこれは、ロータアセンブリを上昇させる、すなわち、例えば嵐の間、ロータアセンブリを水面から遠ざけるように移動させるのに有利である。
【００２９】
本開示はさらに、支持構造および本開示の第１態様によるロータアセンブリを備えるジャイロコプターに関し、当該ロータアセンブリは、上記支持構造に対して上記回転軸を中心として上記２つのロータブレードを回転させるために上記ロータマストによって上記支持構造に回転可能に取り付けられている。ジャイロコプターの実施の形態は、本開示の第１態様によるロータアセンブリの実施の形態に対応する。ジャイロコプターの利点は、先に提示された本開示の第１態様によるロータアセンブリの利点に対応する。
【００３０】
第３の態様によれば、本開示は、本開示の第２態様による風車を複数備える風力発電所に関し、当該複数の風車のうちの隣接する風車間の公称相互距離は、上記ロータの直径の１〜６倍の範囲にある。風力発電所の実施形態は、本開示の第２態様による風車の実施の形態に対応する。風力発電所の利点は、先に提示された本開示の第２態様による風車の利点に対応する。
【００３１】
本開示の文脈の中では、公称相互距離は、隣接する風車を設置するための相互距離として理解されるべきである。
【００３２】
上記複数の風車のそれぞれが上記風車（５０１）を水に浮かせるための上記浮体を備える風力発電所の実施形態では、隣接する風車間の実際の相互距離は、個々の風車の浮動により変化しうる。
【００３３】
ロータの直径の４〜６倍の範囲の公称相互距離で上記複数の風車を設けることは、空気流からの比較的大きなエネルギーの抽出を実現するのに有益である。風車は空気流から運動エネルギーを抽出するので、風車を通過した後の空気流の速度は低下する。空気流から抽出されうる運動エネルギーは、空気流の速度の３乗に比例するので、速度の低下は、上記複数の風車のうちの他の風車の風下にある、上記複数の風車のうちのある風車が、空気流からより少ない量のエネルギーを抽出することができることを意味する。
【００３４】
好ましくは、上記公称相互距離は、上記ロータの直径の４〜４．５倍の範囲にある。これは、上記風力発電所が比較的小さな表面積しか占めていない一方で、空気流からの比較的高いエネルギーの抽出を実現するのに有益である。
【００３５】
好ましくは、上記公称相互距離は、上記風力発電所の隣接する風車のロータマスト間の距離である。
【００３６】
上記相互距離が上記空気流の方向にある場合、有利である。
【００３７】
本開示は、本開示の第２態様による風車を複数備える風力発電所に関し、当該風力発電所の容量は、１５〜５０ＭＷ／ｋｍ２の範囲にあり、好ましくは２５ＭＷ／ｋｍ２である。この風力発電所の利点は、先に提示された本開示の第２態様による風車の利点に対応する。
【００３８】
本開示は、本開示の第１態様によるロータアセンブリの好ましい実施の形態、および本開示の第２態様による風車の実施の形態によって説明され、そこでは以下の概略図が参照される。
【図面の簡単な説明】
【００３９】
【図１】本発明によらない公知のロータアセンブリが示される。
【図２】本発明によるロータアセンブリの上面図が示される。
【図３】図２のロータアセンブリの異なる位置における側面図が示される。
【図４】図２のロータアセンブリの異なる位置における側面図が示される。
【図５】図２のロータアセンブリの異なる位置における側面図が示される。
【図６】図３の断面ａ−ａが示される。
【図７】図４の断面ｂ−ｂが示される。
【図８】図５の断面ｃ−ｃが示される。
【図９】本開示によるロータアセンブリのさらなる実施の形態が示される。
【図１０】本開示によるロータアセンブリのさらなる実施の形態が示される。
【図１１】本開示によるロータアセンブリの別の実施の形態が示される。
【図１２】本開示による風車の側面図が示される。
【図１３】本開示による風力発電所が示される。
【発明を実施するための形態】
【００４０】
図１に示す公知のロータアセンブリ１は、長手方向Ｌに延びる第１ロータブレード３および第２ロータブレード５を備える。第１ロータブレード３および第２ロータブレード５は、中央ロータ部分７を介して強固に接続されている。中央ロータ部分７は、ロータマスト９に旋回可能に接続され、中央ロータ部分７、第１ロータブレード３および第２ロータブレード５が第１仮想平面Ｗ内で旋回軸Ｐを中心としてロータマスト９に対して旋回することを可能にしている。上記第１仮想平面Ｗは、上記旋回軸Ｐと９０°の角度Ａをなす。言い換えると、上記長手方向Ｌは、ピボット軸Ｐに垂直である。ロータマスト９は、ロータアセンブリ１を支持構造（不図示）に対して回転方向ｒに相対的に回転させるために、ロータアセンブリ１を支持構造に回転可能に取り付けるように構成されている。
【００４１】
本開示によるロータアセンブリ１０１は、長手方向Ｌに延びる第１ロータブレード１０３および第２ロータブレード１０５を備える。第１ロータブレード１０３および第２ロータブレード１０５は、中央ロータ部分１０７を介して剛性的に接続され、平坦な仮想平面Ｖ内に広がっている。中央ロータ部分１０７は、ロータマスト１０９に旋回可能に接続され、中央ロータ部分１０７、第１ロータブレード１０３および第２ロータブレード１０５が旋回軸Ｐを中心としてロータマスト１０９に対して旋回することを可能にしている。上記第１ロータブレード１０３、上記第２ロータブレード１０５および上記中央ロータ部分１０９を通って上記長手方向Ｌに延びる第１仮想平面Ｗは、上記旋回軸Ｐに対して３０°の一定の鋭角をなす。ロータマスト９は、上記ロータアセンブリ１０１を支持構造（不図示）に対して回転軸Ｒを中心に回転方向ｒに相対的に回転させるために、上記ロータアセンブリ１を上記支持構造に回転可能に取り付けるように構成されている。
【００４２】
上記中央部分１０７を上記旋回軸Ｐを中心に方向ｔに旋回させることによって、上記中心部分１０７と上記回転軸Ｒとの間の第１角度Ｂおよび第２角度Ｃが変化する。角度Ｂは、上記長手方向Ｌにおける平坦な仮想平面Ｖと、回転軸Ｒとがなす角度に相当する。角度Ｃは、上記長手方向Ｌに直交する方向における平坦な仮想平面Ｖと、回転軸Ｒとがなす角度に相当する。図３に示す第１位置では、角度Ｂおよび角度Ｃは両方とも９０°である。中央ロータ部分１０７を反時計回り方向に傾けると、鋭角Ａが０°から９０°の間にあるため、角度Ｂおよび角度Ｃの両方が増加する。同様の理由で、中央ロータ部分１０７を時計回り方向に傾けると、角度Ｂおよび角度Ｃの両方が減少する。図６、７、８に示す第１ロータブレード１０３の断面は、非常に概略的である。ロータブレード１０３，１０５の実際の実施形態では、第１表面１１３は凹状のプロファイルを有し、上記断面の上記第１の側とは反対側の第２の側の第２表面１１５は凸状のプロファイルを有する。
【００４３】
ロータアセンブリ２０１は、中央部分２０７が、上記ロータマスト２０９に隣接する上記仮想平面Ｖにおいて上記長手方向Ｌに直交する半径方向における上記中央ロータ部分２０７の幅ｚが、上記仮想平面Ｖにおいて上記２つのロータブレード２０３，２０５が占めるブレード面積を、上記長手方向Ｌにおける上記２つのロータブレード２０３，２０５の合計の長さＬ１，Ｌ２で割った比の０．３〜２倍の範囲内にあるように形成されている点で、ロータアセンブリ１０１と主に異なる。言い換えると、中央部分２０７は、空気が上記第１ロータブレード２０３と上記第２ロータブレード２０５との間で上記ロータを通過できないように形成され、それにより、上記ロータマスト２０９の近くでロータアセンブリ２０１を横切る圧力損失を回避するか、または少なくとも大幅に低減する。ロータアセンブリ２０１の要素と類似するロータアセンブリ１０１の要素には、ロータアセンブリ１０１の要素の参照符合を１００だけ引き上げたものと等しい参照符合が与えられる。
【００４４】
ロータアセンブリ３０１は、上記中央部分３０７、第１ロータブレード３０３および第２ロータブレード３０５が、上記仮想平面Ｖにおいて上記長手方向Ｌに垂直な上記２つのロータブレード３０３，３０５のそれぞれの幅ｙおよび上記仮想平面Ｖにおいて上記長手方向Ｌに垂直な半径方向における上記中央ロータ部分３０７の幅ｚが、上記回転軸Ｒまでの距離ｘに依存して減少するように形成されている点で、ロータアセンブリ２０１と主に異なる。ロータアセンブリ２０１の要素と類似するロータアセンブリ３０１の要素には、ロータアセンブリ２０１の要素の参照符合を１００だけ引き上げたものと等しい参照符合が与えられる。
【００４５】
ロータアセンブリ４０１は、上記中央部分３０７、第１ロータブレード３０３および第２ロータブレード３０５が一体部品４１１として形成され、上記仮想平面Ｖにおいて上記長手方向Ｌに垂直な当該一体部品のそれぞれの幅ｙが上記回転軸Ｒまでの距離ｘに依存して減少する点で、ロータアセンブリ３０１と主に異なる。ロータアセンブリ３０１の要素と類似するロータアセンブリ４０１の要素には、ロータアセンブリ３０１の要素の参照符合を１００だけ引き上げたものと等しい参照符合が与えられる。
【００４６】
風車５０１は、当該風車５０１の発電機５１９を介して支持構造５１７に回転可能に取り付けられたロータアセンブリ４０１を備える。風車５０１は、支持構造５１７に取り付けられた浮体５２１および釣り合いおもり５２３をさらに備える。浮体５２１は、上記風車５０１を水量５２５の水面５２７に浮いた状態を維持するように構成される。釣り合いおもり５２３は、浮体５２１が上記釣り合いおもり５２３と上記ロータアセンブリ４０１の間に位置するように上記支持構造５１７に取り付けられている。釣り合いおもり５２３の重量および釣り合いおもり５２３の上記浮体５２１までの距離は、上記ロータアセンブリ４０１が上記支持構造５１７に対して上記回転軸Ｒを中心に回転しないとき、上記ロータアセンブリ４０１が上記水面５２７より上に上昇するようなものである。風車５０１はさらにバランスブイ５２９を備える。バランスブイ５２９は、ウィンチ５３１を介して支持構造５１７に接続されている。
【００４７】
使用中、上記ロータアセンブリ４０１が図１２において矢印で示される方向に或る風速で流れる空気流ＡＦによって駆動されると、上記ロータアセンブリ４０１によって上記支持構造５１７に上記回転軸Ｒに沿った力Ｆｔｏｔが作用する。力Ｆｔｏｔの大きさは、気流の風速、角度ＢおよびＣ、および回転軸Ｒと気流ＡＦの方向との間の角度に依存する。回転軸Ｒは、上記ロータアセンブリ４０１と上記浮体５２１の仮想旋回軸とを横断する仮想線Ｓと角度Ｄに配置されている。ロータアセンブリ４０１を上記支持構造５１７に所定の角度Ｄ取り付けることにより、上記ロータアセンブリ４０１によって及ぼされる力Ｆｔｏｔは、使用中、上記支持構造５１７に対する上記回転軸Ｒを中心とするロータアセンブリ４０１の回転に起因して、より低いまたはより高い持ち上げ力ＦＬをもたらすことがある。上記支持構造５１７に対する上記回転軸Ｒを中心とするロータアセンブリ４０１の回転速度が増加すると、上記支持構造５１７は上記風車５０１のバランスの取れた位置が得られるまで方向ｅ１に回転する。一方、上記支持構造５１７に対する上記回転軸Ｒを中心とするロータアセンブリ４０１の回転速度が減少すると、上記支持構造５１７は風車のバランスの取れた位置が得られるまで方向ｅ２に回転する。
【００４８】
風力発電所６０１は、複数の風車５０１を備える。上記複数の風車５０１の隣接する風車５０１間の公称相互距離ＭＤは、上記風車５０１の上記ロータの直径の４倍である。
【図１】
2021528600.tif 000003
【図２】
2021528600.tif 000004
【図３】
2021528600.tif 000005
【図４】
2021528600.tif 000006
【図５】
2021528600.tif 000007
【図６】
2021528600.tif 000008
【図７】
2021528600.tif 000009
【図８】
2021528600.tif 000010
【図９】
2021528600.tif 000011
【図１０】
2021528600.tif 000012
【図１１】
2021528600.tif 000013
【図１２】
2021528600.tif 000014
【図１３】
2021528600.tif 000015
【国際調査報告】
2021528600.tif 000016
2021528600.tif 000017